(57)【特許請求の範囲】
【請求項１】
一定時間当たりの情報量が変化するデータを伝送する際に、呼設定を用いて伝送帯域を申告してから伝送する通信装置であって、
上記一定時間当たりの情報量が変化するデータを蓄積する記録手段と、
上記一定時間当たりの情報量が変化するデータのピークレート値をスキャンするピークレートスキャン手段と、
上記ピークレートスキャン手段によってスキャンされた上記ピークレート値から呼設定パラメータを生成し、伝送要求を生成して申告する呼設定手段と、
上記呼設定手段からの上記伝送要求を受けて上記記録手段に蓄積されている該当データ位置を示すデータアドレス情報を通知するデータアドレス情報通知手段と、
上記データアドレス情報通知手段からの上記データアドレス情報に基づいて上記記録手段から読み出されたデータを通信回線に出力する出力手段と
を有することを特徴とする通信装置。
【請求項２】
上記ピークレートスキャン手段は、上記一定時間当たりの情報量が変化するデータを細分化した区間毎に上記ピークレート値をスキャンすることを特徴とする請求項１記載の通信装置。
【請求項３】
上記呼設定手段は、上記区間毎のピークレート値から当該区間毎の呼設定パラメータを生成し、伝送要求を生成して申告することを特徴とする請求項２記載の通信装置。
【請求項４】
上記スキャンされた上記区間毎のピークレート値を該当データのヘッダに付加する付加手段を設けることを特徴とする請求項２記載の通信装置。
【請求項５】
上記記録手段は上記ヘッダに上記区間毎のピークレート値が付加されたデータを蓄積することを特徴とする請求項４記載の通信装置。
【請求項６】
上記スキャンされた上記区間毎のピークレート値を該当データのトレイラに付加する付加手段を設けることを特徴とする請求項２記載の通信装置。
【請求項７】
上記記録手段は上記トレイラに上記区間毎のピークレート値が付加されたデータを蓄積することを特徴とする請求項６記載の通信装置。
【請求項８】
上記スキャンされた上記区間毎のピークレート値を該当するデータと関連づけた別ファイルを生成するファイル生成手段を設けることを特徴とする請求項２記載の通信装置。
【請求項９】
上記記録手段は上記別ファイルを蓄積することを特徴とする請求項８記載の通信装置。
【請求項１０】
一定時間当たりの情報量が変化するデータを伝送する際に、呼設定を用いて伝送帯域を申告してから伝送する通信方法であって、
上記一定時間当たりの情報量が変化するデータを記録手段に蓄積する記録工程と、
上記一定時間当たりの情報量が変化するデータのピークレート値をスキャンするピークレートスキャン工程と、
上記ピークレートスキャン工程にてスキャンされた上記ピークレート値から呼設定パラメータを生成し、伝送要求を生成して申告する呼設定工程と、
上記呼設定工程にて生成された上記伝送要求を受けて上記記録手段に蓄積されている該当データ位置を示すデータアドレス情報を通知するデータアドレス情報通知工程と、
上記データアドレス情報通知工程にて通知された上記データアドレス情報に基づいて上記記録手段から読み出されたデータを通信回線に出力する出力工程と
を有することを特徴とする通信方法。
【請求項１１】
上記ピークレートスキャン工程では、上記一定時間当たりの情報量が変化するデータを細分化した区間毎に上記ピークレート値をスキャンすることを特徴とする請求項１０記載の通信方法。
【請求項１２】
上記呼設定工程では、上記区間毎のピークレート値から当該区間毎の呼設定パラメータを生成し、伝送要求を生成して申告することを特徴とする請求項１１記載の通信方法。
【請求項１３】
上記スキャンされた上記区間毎のピークレート値を該当データのヘッダに付加する付加工程を設けることを特徴とする請求項１１記載の通信方法。
【請求項１４】
上記記録工程では上記ヘッダに上記区間毎のピークレート値が付加されたデータを上記記録手段に蓄積することを特徴とする請求項１３記載の通信方法。
【請求項１５】
上記スキャンされた上記区間毎のピークレート値を該当データのトレイラに付加する付加工程を設けることを特徴とする請求項１１記載の通信方法。
【請求項１６】
上記記録工程では上記トレイラに上記区間毎のピークレート値が付加されたデータを上記記録手段に蓄積することを特徴とする請求項１５記載の通信方法。
【請求項１７】
上記スキャンされた上記区間毎のピークレート値を該当するデータと関連づけた別ファイルを生成するファイル生成工程を設けることを特徴とする請求項１１記載の通信方法。
【請求項１８】
上記記録工程では上記別ファイルを上記記録手段に蓄積することを特徴とする請求項１７記載の通信方法。
【請求項１９】
一定時間当たりの情報量が変化するデータを記録する記録装置であって、
上記一定時間当たりの情報量が変化するデータのピークレート値をスキャンするピークレートスキャン手段と、
上記一定時間当たりの情報量が変化するデータと上記ピークレートスキャン手段によってスキャンされた上記ピークレート値とを蓄積する記録手段とを有し、
上記ピークレートスキャン手段は、上記一定時間当たりの情報量が変化するデータを細分化した区間毎に上記ピークレート値をスキャンすることを特徴とする記録装置。
【請求項２０】
上記スキャンされた上記区間毎のピークレート値を該当データのヘッダに付加する付加手段を設け、
上記記録手段は上記ヘッダに上記区間毎のピークレート値が付加されたデータを蓄積することを特徴とする請求項１９記載の記録装置。
【請求項２１】
上記スキャンされた上記区間毎のピークレート値を該当データのトレイラに付加する付加手段を設け、
上記記録手段は上記トレイラに上記区間毎のピークレート値が付加されたデータを蓄積することを特徴とする請求項１９記載の記録装置。
【請求項２２】
上記スキャンされた上記区間毎のピークレート値を該当するデータと関連づけた別ファイルを生成するファイル生成手段を設け、
上記記録手段は上記別ファイルを蓄積することを特徴とする請求項１９記載の記録装置。
【請求項２３】
一定時間当たりの情報量が変化するデータを記録する記録方法であって、
上記一定時間当たりの情報量が変化するデータのピークレート値をスキャンするピークレートスキャン工程と、
上記一定時間当たりの情報量が変化するデータと上記ピークレートスキャン工程にてスキャンされた上記ピークレート値とを記録手段に蓄積する記録工程とを有し、
上記ピークレートスキャン工程では、上記一定時間当たりの情報量が変化するデータを細分化した区間毎に上記ピークレート値をスキャンすることを特徴とする記録方法。
【請求項２４】
上記スキャンされた上記区間毎のピークレート値を該当データのヘッダに付加する付加工程を設け、
上記記録工程では上記ヘッダに上記区間毎のピークレート値が付加されたデータを上記記録手段に蓄積することを特徴とする請求項２３記載の記録方法。
【請求項２５】
上記スキャンされた上記区間毎のピークレート値を該当データのトレイラに付加する付加工程を設け、
上記記録工程では上記トレイラに上記区間毎のピークレート値が付加されたデータを上記記録手段に蓄積することを特徴とする請求項２３記載の記録方法。
【請求項２６】
上記スキャンされた上記区間毎のピークレート値を該当するデータと関連づけた別ファイルを生成するファイル生成工程を設け、
上記記録工程では上記別ファイルを上記記録手段に蓄積することを特徴とする請求項２３記載の記録方法。
【請求項２７】
一定時間当たりの情報量が変化するデータと、当該一定時間当たりの情報量が変化するデータを細分化した区間毎にスキャンして得られたピークレート値とを記録してなることを特徴とする記録媒体。
【請求項２８】
上記区間毎のピークレート値をヘッダに付加したデータを蓄積してなることを特徴とする請求項２７記載の記録媒体。
【請求項２９】
一定時間当たりの情報量が変化するデータを受信する際に、申告されてきた呼設定に基づいて伝送帯域を設定する通信装置であって、
上記一定時間当たりの情報量が変化するデータのピークレートをスキャンして得られたピークレート値から生成された呼設定パラメータを受信する受信手段と、
上記受信した呼設定パラメータのピークレート値に応じて伝送帯域を設定する伝送帯域設定手段と
を有することを特徴とする通信装置。
【請求項３０】
一定時間当たりの情報量が変化するデータを受信する際に、申告されてきた呼設定に基づいて伝送帯域を設定する通信方法であって、
上記一定時間当たりの情報量が変化するデータのピークレートをスキャンして得られたピークレート値から生成された呼設定パラメータを受信する受信工程と、
上記受信した呼設定パラメータのピークレート値に応じて伝送帯域を設定する伝送帯域設定工程と
を有することを特徴とする通信方法。
【発明の詳細な説明】
【０００１】
【発明の属する技術分野】
本発明は、例えば一定時間当たりの情報量が変化する可変速度符号化されたデータを転送する通信装置及び方法と、可変速度符号化されたデータを記録する記録装置及び方法と、可変速度符号化されたデータが記録された記録媒体に関する。
【０００２】
【従来の技術】
従来より、例えば図８に示すように、呼設定を用いて伝送帯域を設定してからデータを伝送する通信方式、例えばいわゆるＡＴＭ（非同期転送モード）のような帯域を予め申告して確保するタイプの通信網を用いた通信方式では、図９のような手順でデータ転送を行われる。
【０００３】
すなわち、図８において端末２０１と端末２０３は網（通信網）２０２にて接続されている。この図８のシステムでは、図９に示すように、先ず、例えば端末２０１が呼設定Ｓ１を行う。この端末２０１から呼設定Ｓ１がなされると、通信網２０２は網内処理Ｓ２を行って、呼設定Ｓ３を端末２０３に送信する。端末２０３では呼設定Ｓ３を受信すると呼設定受付Ｓ４を通信網２０２に返送する。次いで、端末２０３が接続応答Ｓ５を行うと、通信網２０２は接続応答確認Ｓ６を返送し、さらに網内処理Ｓ７を行って接続応答Ｓ８を端末２０１に送信する。これにより、端末２０１では接続応答確認Ｓ９を行った後、データ転送開始Ｓ１０を行う。このように、上記図８に示したＡＴＭ（非同期転送モード）技術を用いた通信システムでは、端末２０１が端末２０３と呼設定を行い、伝送帯域の最大値を通信網２０２に申告することにより、必要な帯域だけを使い多重化効率を高めるようにしている。
【０００４】
【発明が解決しようとする課題】
ところで、上述のようなＡＴＭ（非同期転送モード）技術を用いた通信において、例えば可変速度符号化されたデータを送信する際には、情報量に応じた可変レートで送信することが、通信網の限られた伝送帯域を有効に利用する上で望ましい。
【０００５】
しかし、送受信側の機器が可変レートに対応できるようにするためには、複雑な機能と構成が必要であり、このため実際には固定レートにて送信されることが多い。このように、上記可変速度符号化されたデータのように可変レートの信号を固定レートで送信する場合には、上記可変速度符号化されたデータに例えば無効パケットをスタッフィングして固定レートにしてから送信することが行われている。
【０００６】
ここで、上述のように可変速度符号化されたデータを固定レート（固定速度）として伝送する場合において、通信網に申告する伝送帯域の最大値（以下、伝送帯域ピークレート値と呼ぶ）は、可変速度符号化されたデータの最大のレート値（以下、データピークレート値と呼ぶ）を取れば良いことになる。
【０００７】
ところが、可変速度符号化を行う可変速度符号器（エンコーダ）において設定するパラメータ、すなわち符号器が通信網に申告する呼設定パラメータは、例えばデータ全体で平均的にある速度値になることを示す値と、当該符号器が扱うレートの上限値或いは下限値（すなわち符号器の出力変動量の最大値と最小値）を示す値とである。言い換えると、上記可変速度符号器において設定する呼設定パラメータのうち、上記上限値或いは下限値を示す値は、当該符号器自体のハードウェア上の制限からくる値であり、当該符号器自体が出力する最大レートである。
【０００８】
このことを具体的に符号器出力データの時間的変化を表す図１０を用いて説明する。この図１０において、符号器出力データは図中曲線Ｏにて示すように変動するものとし、符号器の出力変動量は図中Ｗで示す量であり、符号器の出力変動量Ｗの最大値は図中点線Ｄｍａｘで示す値、最小値は図中点線Ｄｍｉｎで示す値であるとする。また、符号器出力データ量の平均値は図中点線Ａにて示す値であり、符号器出力データＯのピーク値は図中点線Ｐにて示す値であるとする。ここで、実際の符号器出力データＯのピークレート値（上記データピークレート値）は、符号器にて符号化される元の画像や音声の性質に大きく依存して変化するものであるが、当該符号器出力データＯの変動量は上記最大値Ｄｍａｘと最小値Ｄｍｉｎの間の値を取り、上記符号器が設定した呼設定パラメータの上記上限値（最大値Ｄｍａｘ）以下であるのが通常である。
【０００９】
上述のように、符号器から通信網に申告される伝送帯域の最大値（上記伝送帯域ピークレート）は、実際の符号器出力データのピークレート値（上記データピークレート値）と異なり、実際に必要とされるピークレート（すなわちデータピークレート値）以上に設定されることが生じる。
【００１０】
したがって、従来の通信システムでは、実際にデータ伝送に必要とされるよりも余分の帯域が使われることが多くなり、データの多重化効率が悪くなるという問題がある。
【００１１】
そこで、本発明はこのような状況に鑑みてなされたものであり、伝送帯域の有効利用を図り、データの多重化効率を向上させることが可能な通信装置及び方法と、可変速度符号化されたデータを記録する記録装置及び方法と、可変速度符号化されたデータが記録された記録媒体とを提供することを目的とする。
【００１２】
【課題を解決するための手段】
本発明の通信装置及び方法は、一定時間当たりの情報量が変化するデータを伝送する際に、呼設定を用いて伝送帯域を申告してから伝送するものであって、一定時間当たりの情報量が変化するデータを蓄積し、このデータのピークレート値をスキャンし、得られたピークレート値から呼設定パラメータを生成し、伝送要求を生成して申告した後、この伝送要求を受けて記録手段から読み出されたデータを通信回線に出力することにより、上述の課題を解決する。
【００１３】
また、本発明の記録装置及び方法は、一定時間当たりの情報量が変化するデータを記録する際に、このデータを細分化した区間毎にスキャンして得られたピークレート値とデータとを蓄積することにより、上述の課題を解決する。
【００１４】
また、本発明の記録媒体は、一定時間当たりの情報量が変化するデータと、このデータを細分化した区間毎にスキャンして得られたピークレート値とを記録してなることにより、上述の課題を解決する。
【００１５】
さらに、本発明の通信装置及び方法は、一定時間当たりの情報量が変化するデータを受信する際に、申告されてきた呼設定に基づいて伝送帯域を設定するものであって、データのピークレートをスキャンして得られたピークレート値から生成された呼設定パラメータを受信し、この受信した呼設定パラメータのピークレート値に応じて伝送帯域を設定することにより、上述の課題を解決する。
【００１６】
すなわち、本発明は、伝送前の呼設定で申告するピークレート値として、予め送信データをスキャンして得た値を設定することにより、限られた帯域を有効利用できるようにしている。
【００１７】
【発明の実施の形態】
以下、本発明の好ましい実施の形態について、図面を参照しながら説明する。
【００１８】
本発明の通信方法及び記録方法が適用される本発明の記録装置も含む通信装置の一構成例を図１に示す。
【００１９】
この図１に示す本発明構成例の通信装置は、データ伝送する際に、呼設定を用いて伝送帯域を申告し、ピークレートを設定して伝送する通信方式、例えば、例えばいわゆるＡＴＭ（非同期転送モード）技術を用いた通信方式を用いるものである。上記データは例えば元情報の一定時間当たりの情報量が圧縮後に変化する可変速度圧縮符号化されたデータであり、この図１の通信装置は当該データを固定レートで伝送する。なお、上記可変速度圧縮符号化としては、例えばいわゆるＭＰＥＧ方式による圧縮符号化を例に挙げることができる。このＭＰＥＧ（Moving Picture Image Coding Experts Group）とは、蓄積用動画像符号化の検討組織であり、１９８８年に国際標準化機構（ＩＳＯ）と国際電気標準会議（ＩＥＣ）の傘下に設立された動画像圧縮技術の標準化を検討する専門家の作業部会の略称、または、このグループが標準化した動画や音声などのデータ圧縮方式の呼称として用いられている。
【００２０】
ここで、本発明構成例の通信装置は、可変速度符号化されたデータを蓄積する記録媒体を備えた記録装置３と、呼設定部４からの伝送要求を受けて上記記録装置３の記録媒体に蓄積されているデータの位置（記録媒体上のアドレス）を知らせるアドレス通知回路１と、当該アドレス通知回路１からアドレスを得て、上記記録装置３に蓄積されているデータのピークレートをスキャンし、このピークレート値（データピークレート値）を保存するピークスキャン回路２と、得られたピークレート値（データピークレート値）を受け、呼設定パラメータを申告する上記呼設定部４と、上記記録装置３から読み出されたデータを端子６から通信回線（通信網）に出力する出力装置５とを有するものである。
【００２１】
すなわち、この図１に示す本発明構成例の通信装置において、上記アドレス通知回路１は、伝送すべきデータの伝送要求信号を呼設定部４から受けると、上記記録装置３に備えられた記録媒体に蓄積されている上記可変速度符号化されたデータのうち、上記伝送要求信号に応じたデータの位置（記録媒体上のアドレス）を、ピークスキャン回路２に対して通知する。
【００２２】
当該ピークスキャン回路２は、上記記録装置３の記録媒体上に蓄積されているデータのうち、上記アドレスに応じたデータのピークレートをスキャンし、得られたピークレート値（データピークレート値）を保存する。
【００２３】
呼設定部４は、上記ピークスキャン回路２に保存されたピークレート値（データピークレート値）を受け、呼設定パラメータの一つの値として設定し、出力装置５を介して接続されている通信網に対して当該呼設定パラメータを申告する。
【００２４】
出力装置５は、上記伝送要求信号に応じて記録装置３の記録媒体から読み出されたデータを、上記呼設定部４が申告したレートにより、上記接続されている通信網に出力する。
【００２５】
したがって、通信網では、上記可変速度符号化されたデータを受信する際に、申告されてきた呼設定パラメータに基づいて伝送帯域を設定する場合に、上記データのピークレートをスキャンして得られたピークレート値から生成された呼設定パラメータに応じた伝送帯域を設定できることになる。すなわち、このときの通信網に申告された伝送帯域の最大値（伝送帯域ピークレート値）は、上記出力装置５から通信網に出力されるデータのピークレート値（データピークレート値）と一致している。
【００２６】
上述したように、本発明構成例の通信装置によれば、要求されたデータを送信する前に、予め送信されるデータをスキャンして得たピークレート値を設定し、このピークレート値（データピークレート値）を含めた呼設定パラメータを通信網に申告するようにして、伝送帯域のピークレート値（伝送帯域ピークレート値）を送信されるデータのピークレート値（データピークレート値）と一致させるようにしたことにより、限られた伝送帯域を有効利用でき、データの多重化効率をも向上可能となっている。
【００２７】
上述の例では、伝送要求があったデータのピークレートをその都度スキャンして、そのピークレート値を呼設定パラメータとして申告するようにしているが、例えば記録装置３内の記録媒体に保存されている例えば各データの可変速度符号化レートでのピークレート値（データピークレート値）を予めスキャン（例えばピークスキャン回路２にてスキャンする）しておき、得られた各データピークレート値を、それぞれ対応する各データのヘッダやトレイラ（後部）に付加して記録媒体に記録しておくことも可能である。図２にはデータのトレイラに当該データのピークレート値を付加する例を示す。すなわち、図２の例において、記録媒体には、データ部４１とそのトレイラにピークレート値としてピークレート表示部４２が付加された記録フォーマットにて記録がなされる。この図２のような記録フォーマットにて記録媒体に記録がなされている場合において、伝送要求のあったデータのピークレート値を設定する際には、図１のピークスキャン回路２は、伝送要求のあったデータのアドレスに基づいて記録装置３の記録媒体から当該データのトレイラを検出し、さらにこのトレイラのピークレート表示部４２を抜き出して、このピークレート表示部４２のピークレート値を呼設定部４に出力する。図３にはデータのヘッダに当該データのピークレート値を付加する例を示している。すなわち、この図３の例において、記録媒体には、データ部５２のヘッダにピークレート値としてピークレート表示部５１が付加された記録フォーマットにて記録がなされる。この図３のような記録フォーマットにて記録媒体に記録がなされている場合において、伝送要求のあったデータのピークレート値を設定する際には、図１のピークスキャン回路２は、伝送要求のあったデータのアドレスに基づいて記録装置３の記録媒体から当該データのヘッドを検出し、さらにこのヘッドのピークレート表示部５１を抜き出して、このピークレート表示部５１のピークレート値を呼設定部４に出力する。
【００２８】
また、例えば記録装置３内の記録媒体に保存されている例えば全てのデータの可変速度符号化レートでのピークレート値を予めスキャン（例えばピークスキャン回路２にてスキャンする）しておき、得られた全てのデータの各データピークレート値を、各データと関連付けた別ファイルとして記録媒体に記録しておくことも可能である。図４には、当該別ファイルとして各データピークレート値を記録する例を示す。すなわち、図４の例において、記録媒体には、図中（ａ）に示すように各データ部６１が記録され、さらにこれら各データ部６１とは別のファイルとして、図中（ｂ）に示すようにデータ部６１との対応を示すデータＩＤ６２とピークレート値６３とが記録媒体に記録される。この図４のようにピークレート値が別ファイルとして記録媒体に記録がなされている場合において、伝送要求のあったデータのピークレート値を設定する際には、図１のピークスキャン回路２は、伝送要求のあったデータのアドレスから当該データに対応する上記別ファイルのデータＩＤ６２を求め、このデータＩＤ６２に基づいて記録装置３の記録媒体から当該別ファイルを検出し、さらにこの検出した別ファイルのピークレート値６３を抜き出し、このピークレート値６３を呼設定部４に出力する。このように、各データピークレート値を予めスキャンしておくことにより、伝送要求があったデータの伝送を開始するまでのセットアップタイムを短縮することが可能となる。
【００２９】
上述した図２，図３，図４の例では、記録装置３内の記録媒体に既に記録されている各データのピークレート値をピークスキャン回路２にてスキャンし、得られた各ピークレート値を記録媒体に記録するようにしているが、記録装置３に対して可変速度符号器（エンコーダ）から各データを入力する際に、予め各データのピークレートをスキャンしておき、得られた各ピークレート値を、上記図２，図３，図４の例のように上記可変速度符号器から入力された各データの記録と共に記録、或いは更新するようなことも可能である。この場合も、各データピークレート値が予めスキャンされているため、伝送要求があったデータの伝送を開始するまでのセットアップタイムを短縮することが可能である。
【００３０】
ところで、上述した例では、各データについて１つのピークレート値（データピークレート値）を設定しているが、例えば、図５に示すように、１つのデータのピークスキャンを行う間隔を区間Ｆ１〜Ｆ６，・・・のように細分化し、各細分化した区間Ｆ１〜Ｆ６，・・・毎にピークレート値を求め、各区間毎Ｆ１〜Ｆ６，・・・のピークレート値Ｐ１〜Ｐ６，・・・をそれぞれ申告するようなことも可能である。すなわち、この場合は、１つのデータ当たりでは各区間の複数のピーク値を申告することになる。このようにすることで、１つのデータを伝送する際に、各区間で伝送帯域を変更しながら伝送を行うことになり、疑似的に可変レート伝送に近い構成となる。
【００３１】
上述のように各区間毎にピークレート値を求めて、各区間毎のピークレート値をそれぞれ申告する通信装置は、例えば図６に示すような構成で実現できる。
【００３２】
この図６において、アドレス通知回路１１は、伝送すべきデータの伝送要求信号を呼設定部１４から受けると、記録装置１３に備えられた記録媒体に蓄積されている可変速度符号化されたデータのうち、上記伝送要求信号に応じたデータの位置（記録媒体上のアドレス）を、ピークスキャン回路１２に対して通知する。このとき、スキャン間隔タイマ１７は、ピークレート値を計る時間間隔（すなわち上記区間）をカウントし、この計測時間間隔がくると、その旨を示すタイミング信号をピークスキャン回路１２と呼設定部１４に出力する。
【００３３】
上記ピークスキャン回路１２は、上記アドレスに応じたデータに対して、上記タイミング信号に応じた計測時間間隔（すなわち区間）毎にピークレート値をスキャンし、当該スキャンにより得られた現在の区間（計測時間間隔）のピークレート値を、呼設定部１４に出力する。ピークスキャン回路１２では、上記現在の区間のピークレート値の出力後、当該ピークレート値はクリアされる。
【００３４】
呼設定部１４は、上記スキャン間隔タイマ１７からのタイミング信号を受信した間隔で、上記ピークスキャン回路１２からの当該区間のピークレート値を呼設定パラメータとして新たに設定し、出力端子１８に接続されている通信網に対して、当該区間のピークレート値が設定された呼設定パラメータを申請する。
【００３５】
出力装置１５は、上記要求信号に応じて記録装置１３の記録媒体から読み出されたデータを、上記呼設定部１４が申告した区間毎のレートにより、上記接続されている通信網に出力する。
【００３６】
すなわち、このときの通信網に申告された上記計測時間間隔（区間）毎の伝送帯域の最大値（伝送帯域ピークレート値）は、上記出力装置１５から通信網に出力されるデータの上記区間毎のピークレート値（データピークレート値）と一致している。
【００３７】
上述したように、図６の構成例の通信装置によれば、要求されたデータを送信する際に、データを細分化した区間毎に求めたピークレートを申告することにより、データの最大ピークレートより小さく、可変速度符号化データに近い値でピークレート値を設定可能であり、疑似的な可変速度伝送ができ、より有効に伝送帯域使用できるため、通信網資源の有効活用が可能となる。
【００３８】
なお、上述した図５、図６の例においても、前述の図２や図３と同様に、例えば記録装置１３内の記録媒体に保存されている例えば各データの上記区間のピークレート値を予めスキャン（例えばピークスキャン回路１２にてスキャンする）しておき、得られた各区間のピークレート値を、それぞれ対応する各データのヘッダやトレイラ（後部）に付加して記録媒体に記録しておくことも可能である。このように各区間のピークレート値を各データのヘッダやトレイラに付加するようにした場合、伝送要求のあったデータの各区間のピークレート値を設定する際には、図６のピークスキャン回路１２は、伝送要求のあったデータのアドレスに基づいて記録装置１３の記録媒体から当該データのヘッダ又はトレイラを検出し、さらにこのヘッダ又はトレイラのピークレート表示部を抜き出して、このピークレート表示部に格納された各区間のピークレート値を、呼設定部１４に出力することになる。
【００３９】
また、この上述した図５、図６の例においても、前述の図４と同様に、例えば記録装置１３内の記録媒体に保存されている全てのデータの各区間のピークレート値を予めスキャン（例えばピークスキャン回路１２にてスキャンする）しておき、得られた全てのデータの各区間のピークレート値を、各データと関連付けた別ファイルとして記録媒体に記録しておくことも可能である。このように各区間毎のピークレート値を別ファイルとして記録媒体に記録しておくようにした場合、伝送要求のあったデータの各区間のピークレート値を設定する際には、図６のピークスキャン回路１２は、伝送要求のあったデータのアドレスから当該データに対応する上記別ファイルのデータＩＤを求め、このデータＩＤに基づいて記録装置１３の記録媒体から当該別ファイルを検出し、さらにこの検出した別ファイルの各区間のピークレート値を抜き出し、この各区間のピークレート値を呼設定部１４に出力する。このように、各区間のピークレート値を予めスキャンしておくことにより、伝送要求があったデータの伝送を開始するまでのセットアップタイムを短縮することが可能となる。
【００４０】
さらに、上記区間毎のピークレート値を設定する場合においても、前述同様に、記録装置１３に対して可変速度符号器（エンコーダ）から各データを入力する際に、予め各データの各区間のピークレートをスキャンしておき、得られた各区間のピークレート値を前記図２，図３，図４の例のように、上記可変速度符号器から入力された各データの記録と共に記録、或いは更新するようなことも可能である。この場合も、各区間のピークレート値が予めスキャンされているため、伝送要求があったデータの伝送を開始するまでのセットアップタイムを短縮することが可能である。
【００４１】
なお、上述したように、記録装置１３の記録媒体に上記各区間毎のスキャン結果のピークレート値を書き込む場合には、ピークスキャン回路１２にて求められた前記区間（計測時間間隔）の各ピークレート値が、上記呼設定部１４だけでなく上記記録装置１３にも供給される。したがって、この場合、記録装置１３では、上記スキャン間隔タイマ１７からの上記タイミング信号に基づいて書き込みがなされる。
【００４２】
上述したように、本発明構成例によれば、伝送前の呼設定で申告する呼設定パラメータとして、予め送信データをスキャンしたピークレート値を設定することにより、使用される伝送帯域を、送信されるデータのピークレート値に一致した帯域に設定でき、したがって、伝送帯域を有効利用することが可能となり、通信効率が増加する。
【００４３】
更に、送信されるデータを細分化した区間毎に求めたピークレート値を申告するようにすれば、可変速度符号化データに近い値でピークレート値を設定可能であり、これにより疑似的な可変速度伝送ができ、より有効に通信網資源を活用可能となる。
【００４４】
次に、図７には、上述した本発明構成例の通信装置（記録装置を含む）が適用される通信システムの構成例を示す。
【００４５】
この図７において、本発明構成例の通信装置（サーバ）１００は、前記アドレス通知回路１及び１１やピークスキャン回路２及び１２、並びに前記呼設定部４及び１４等を備えてなる呼設定部１０４と、前記記録装置３及び１３である記録装置制御部１０１と、前記記録媒体１０３と、前記出力装置５及び１５であるネットワークインターフェース部１０２とを備えている。この通信装置１００は、前記通信網であるネットワーク１１０を介して、複数の端末１２０と接続されている。これら端末１２０は、それぞれネットワークインターフェース部１２１と、前記可変速度符号化されたデータを復号する復号部１２２と、当該復号されたデータが例えば表示可能なデータであればこのデータをモニタ装置に表示するための表示制御部１２３とを有してなる。
【００４６】
【発明の効果】
以上の説明で明らかなように、本発明においては、伝送前の呼設定で申告するピークレート値として、予め送信データをスキャンして得た値を設定することにより、伝送帯域の有効利用を図り、データの多重化効率を向上させることが可能となっている。
【図面の簡単な説明】
【図１】  本発明の通信装置の一構成例を示すブロック回路図である。
【図２】トレイラにピークレート値を付加した場合の記録フォーマットを示す図である。
【図３】ヘッダにピークレート値を付加した場合の記録フォーマットを示す図である。
【図４】ピークレート値を別ファイルにとして記録する例の説明に用いる図である。
【図５】データを細分化した区間毎にピークレート値を設定する例の説明に用いる図である。
【図６】データを細分化した区間毎にピークレート値を設定する場合の通信装置の構成を示すブロック回路図である。
【図７】本発明構成例の通信装置が適用される通信システムの全体構成を示す図である。
【図８】通信システムの概念の説明に用いる図である。
【図９】データ通信の手順の説明に用いる図である。
【図１０】従来のデータのピークレート値と符号器出力変動量に基づいて設定される通信網のピークレート値との関係の説明に用いる図である。
【符号の説明】
１，１１  アドレス通知回路、  ２，１２  ピークスキャン回路、  ３，１３記録装置、  ４，１４  呼設定部、  ５，１５  出力装置、  １７  スキャン間隔タイマ
【図１】
0003648829.tif 000002
【図２】
0003648829.tif 000003
【図３】
0003648829.tif 000004
【図４】
0003648829.tif 000005
【図５】
0003648829.tif 000006
【図６】
0003648829.tif 000007
【図７】
0003648829.tif 000008
【図８】
0003648829.tif 000009
【図９】
0003648829.tif 000010
【図１０】
0003648829.tif 000011